【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
換気式トイレであって、
便器であって、当該便器の縁部に周設され、水を排出する少なくとも１つの穴部を有するものである、前記便器と、
所定量の水を保有する貯水タンクであって、当該所定量の水は、前記便器に排出された時に前記トイレを水洗するのに十分な量の水である、前記貯水タンクと、
前記トイレを水洗する水洗機構であって、前記貯水タンクの底部にある排水管を覆う水洗用バルブを制御するものである、前記水洗機構と、
前記貯水タンクを補水する補水機構と、
前記排水管を前記便器の縁部に周設された前記少なくとも１つの穴部に連通させる送水管と、
換気扇を制御する動作感知スイッチであって、前記換気扇は、前記穴部および前記送水管を通じて前記便器から臭気を吸入し、前記便器の排気口を通じて前記トイレから前記臭気を排気するものである、前記動作感知スイッチと
前記排水管と流体連通して前記便器からの臭気を吸入する排気パイプであって、前記配水管よりも下方の地点から上向に傾斜した吸気口を有し、これにより、当該排気パイプに対する水の流入が阻止されるものであり、前記排水管の壁の下端部は、当該排気パイプの開口端上部を部分的に超えて下方に向かって伸びるものである、前記排気パイプと
を有する換気式トイレ。
【請求項２】
請求項１記載の換気式トイレにおいて、前記排気口は前記便器の背面壁に、前記送水管と実質的に水平の方向に配置されているものである換気式トイレ。
【請求項３】
請求項１記載の換気式トイレにおいて、さらに、
当該換気式トイレが排気ダクトに連結されていない時に前記排気口を密閉状態に塞ぐ、着脱自在なキャップを有するものである換気式トイレ。
【請求項４】
請求項１記載の換気式トイレにおいて、前記動作感知スイッチは、前記換気扇の動作を停止させる水銀遮断スイッチである換気式トイレ。
【請求項５】
請求項１記載の換気式トイレにおいて、前記動作感知スイッチは、補水バルブとフロート（ｆｌｏａｔ）との間に延在する支持棒に取付けられているものである換気式トイレ。
【請求項６】
請求項１記載の換気式トイレにおいて、前記動作感知スイッチは、所定時間の経過後、前記換気扇の動作の再開を遅延させる遅延回路を有するものである換気式トイレ。
【請求項７】
請求項４記載の換気式トイレにおいて、前記動作感知スイッチは、所定時間の経過後、前記換気扇の動作の再開を遅延させる遅延回路を有するものである換気式トイレ。
【請求項８】
請求項１記載の換気式トイレにおいて、前記動作感知スイッチは、回路内で壁面スイッチと接続されているものである換気式トイレ。
【請求項９】
請求項７記載の換気式トイレにおいて、前記動作感知スイッチは、回路内で壁面スイッチと接続されているものである換気式トイレ。
【請求項１０】
トイレに後付けされ、前記トイレを換気式トイレに変換する換気扇アダプタであって、
便器の後部と貯水タンクとの間に配置されるように構成されたアダプタ本体と、
水洗用バルブ・サブアセンブリであって、排水管と、前記貯水タンクの内に延出するように構成された直立パイプとを有し、前記直立パイプは、前記貯水タンクから前記排水管に送水するように構成されているものである、前記水洗用バルブ・サブアセンブリと、
前記排水管と流体連通して前記便器からの臭気を吸入する排気パイプであって、前記配水管よりも下方の地点から上向に傾斜した吸気口を有し、これにより、当該排気パイプに対する水の流入が阻止されるものであり、前記排水管の壁の下端部は、当該排気パイプの開口端上部を部分的に超えて下方に向かって伸びるものである、前記排気パイプと
を有する換気扇アダプタ。
【請求項１１】
請求項１０記載の換気扇アダプタにおいて、さらに、
格子構造と、
前記格子構造を貫通して延長し、前記格子構造を通じて前記貯水タンクを前記便器に固定する固定具と
を有するものである換気扇アダプタ。
【手続補正２】
【補正対象書類名】明細書
【補正対象項目名】０００２
【補正方法】変更
【補正の内容】
【０００２】
水洗式トイレは、水を用い排水管を通じてし尿を下水システムに処理する。トイレからの臭気の排出は、典型的には、天井に取付けられたファンによって行われる。しかし、これは、臭気をトイレから天井のファンへと上向きに引込まなければならないため、効率的ではない。この問題を認識し、より効果的に臭気を排気する換気式トイレが数多く開発されてきた。一般的に、換気式トイレには３種類ある。第１の種類の換気式トイレは、フィルタまたは空気洗浄機を用いて臭気を除去するものである。この第１の種類の換気式トイレの主な欠点は、フィルタまたは空気洗浄機を定期的に交換しなければならないこと、また、脱臭効果が適切でない場合があることである。第２の種類の換気式トイレは、臭気を排水管および下水管に吸入するものである。しかし、これは、特に汚水浄化システムにおいて、背圧につながる。さらに、空気を排水管を通じて下水管に強制的に送る場合、Ｐトラップが存在しなくなり、その結果、下水が絶対に逆流しないようにする方法がなくなる。第３の種類の換気式トイレは、換気通路を用いてトイレから臭気を排出するものである。これにはアフターパーツの後付けが必要である。本発明は、この第３の換気式トイレを改良したものである。様々な設計の換気式トイレが多数あるが、これらは典型的に複雑および／または非効率的である。従って、改良された換気式トイレの必要性が依然としてある。また、標準型トイレに簡単に後付けして、そのトイレを、臭気を効率的に抜くことができる換気式トイレに変換する手段の必要性もある。
この出願の発明に関連する先行技術文献情報としては、以下のものがある（国際出願日以降国際段階で引用された文献及び他国に国内移行した際に引用された文献を含む）。
【手続補正３】
【補正対象書類名】明細書
【補正対象項目名】０００３
【補正方法】変更
【補正の内容】
【０００３】
【特許文献１】欧州特許出願公開第１０４１２０５号明細書
【特許文献２】英国特許出願公開第９１７９３３号明細書
【特許文献３】米国特許出願公開第２００９／０４４３２０号明細書
【特許文献４】英国特許出願公開第４９３２００号明細書
【特許文献５】独国実用新案出願公開第９４１１８４９号明細書
【特許文献６】独国特許出願公開第４３１１０６６号明細書
【特許文献７】米国特許第６０７３２７３号明細書
【特許文献８】独国特許出願公開第３９２７２００号明細
【特許文献９】米国特許第１６７５８４１号明細書
【特許文献１０】米国特許第３９４２２００号明細書
【特許文献１１】米国特許第４５５６９９９号明細書
【特許文献１２】米国特許第５９０６００９号明細書
【特許文献１３】独国特許出願公開第４３１１０６６号明細書
【特許文献１４】独国特許出願公開第９４１１８４９号明細書
【特許文献１５】米国特許第４９８９２７６号明細書
【特許文献１６】米国特許第６１５８０５８号明細書
【特許文献１７】米国特許第５１２３１２５号明細書
【特許文献１８】米国特許第６７７５８５３号明細書
【特許文献１９】米国特許第６２９５６５６号明細書
【特許文献２０】米国特許第５７０４０７４号明細書
【特許文献２１】米国特許出願公開第２００９／０３２０１９４号明細書
【特許文献２２】米国特許第５３８６５９４号明細書
【特許文献２３】米国特許第４４９４２５５号明細書
【特許文献２４】米国特許第６２１９８５３号明細書
【特許文献２５】米国特許第２７７７１３７号明細書
【特許文献２６】米国特許第４３１８１９２号明細書
【特許文献２７】米国特許第４９９８２９９号明細書
【特許文献２８】米国特許第５１６７０３９号明細書
【特許文献２９】米国特許第５２３１７０５号明細書
【特許文献３０】米国特許第５３５３４４３号明細書
【特許文献３１】米国特許第５７１５５４３号明細書
【特許文献３２】米国特許第６６９４５３４号明細書
【特許文献３３】カナダ国特許第２２９３８１７号明細書
【特許文献３４】カナダ国特許出願公開第２３２３７５９号明細書
【特許文献３５】カナダ国特許出願公開第２３６８９４１号明細書
【特許文献３６】カナダ国特許出願公開第２５１３９９６号明細書
【特許文献３７】国際公開第００／６１８８３号明細書
【手続補正４】
【補正対象書類名】明細書
【補正対象項目名】０００４
【補正方法】変更
【補正の内容】
【０００４】
本発明は、水洗機構および補水機構における１つの可動要素に取付けられた動作感知スイッチを用いて換気ファンを制御する換気式トイレを提供する。動作感知スイッチを用いて、水が送水管を通じて貯水タンクから便器へ排出される時にファンの動作を停止することができる。従って、送水管は、トイレが水洗された時にのみ送水する。それ以外の時は常に、送水管は空気で満たされている。換言すれば、送水管は、当該送水管を通じて水が排出される前は空気を含んでおり、送水管を通じて水が排出された後、再び空気を含むようになる。換気式トイレは、この送水管を利用して、便器の縁部の穴部を通じて、また、この送水管を通じて、臭気を便器の背面壁に形成された排気口に引込む。動作感知スイッチは、トイレが水洗された時、すなわち、水が送水管を通じて流れた時に精巧にファンの動作（従って、空気の後ろ向きの吸引も）を停止させる。それ以外の時は常に、ファンは送水管および便器の後部に形成された新たな排気口を通じて臭気を便器から吸入するように動作することができる。
従って、本発明の主な態様は、換気式トイレであって、便器であって、当該便器の縁部に周設された少なくとも１つの穴部を有し、それにより水を排出するものである、前記便器と、貯水タンクであって、前記便器へ排出した時に前記トイレを水洗するのに十分な量の水を保有するものである、前記貯水タンクと、前記トイレを水洗する水洗機構であって、前記貯水タンクの底部にある排水管を覆う水洗用バルブを制御するものである、前記水洗機構と、前記貯水タンクを補水する補水機構と、前記排水管を前記便器の前記縁部に周設された前記少なくとも１つの穴部に連通させる送水管と、前記補水機構の可動部に連結され、換気ファンを制御する動作感知スイッチであって、前記ファンは、前記水洗用穴部および前記送水管を通じて前記便器から臭気を吸入し、前記便器の排気口を通じて前記トイレから前記臭気を排気するものである、前記動作感知スイッチとを有する換気式トイレである。